(57)【要約】【課題】少なくとも、外部照明の点滅周波数とシャッタメガネの開閉周波数との干渉によって発生するフリッカを軽減することにより、立体表示の快適な視聴環境を実現できる立体表示システムを提供する。【解決手段】シャッタ制御部１７が、左目用シャッタ２０Ｌと右目用シャッタ２０Ｒとの開閉状態が同じとなる期間を含むように開閉状態を制御する。バックライト制御部１８が、少なくとも左目用シャッタ２０Ｌと右目用シャッタ２０Ｒとが共に開状態となる期間ではバックライト１２を消灯させ、少なくとも左目用シャッタ２０Ｌと右目用シャッタ２０Ｒとが共に閉状態となる期間ではバックライト１２を点灯させる制御を行う。【選択図】図１
2011252943.tif 000002
【特許請求の範囲】
【請求項１】
画像表示を行う表示パネルと、
前記表示パネルに向けて画像表示用の光を照射するバックライトと、
互いに独立して開閉制御される左目用シャッタと右目用シャッタとを有するシャッタメガネと、
前記表示パネルに左目用画像と右目用画像とを時分割で交互に表示させる表示制御部と、
前記バックライトの点灯状態の制御を行うバックライト制御部と、
前記表示パネルに表示される画像の表示状態に応じて、前記左目用シャッタと前記右目用シャッタとの開閉状態を制御するシャッタ制御部と
を備え、
前記シャッタ制御部は、前記左目用シャッタと前記右目用シャッタとの開閉状態が同じとなる期間を含むように開閉状態を制御し、
前記バックライト制御部は、少なくとも前記左目用シャッタと前記右目用シャッタとが共に開状態となる期間では前記バックライトを消灯させる制御を行う
立体表示システム。
【請求項２】
前記表示制御部は、前記シャッタメガネの開閉状態に関わらず、前記左目用シャッタと前記右目用シャッタとが共に開状態となる期間も含めて常時、前記表示パネルに画像を表示させる
請求項１に記載の立体表示システム。
【請求項３】
前記バックライト制御部は、少なくとも前記左目用シャッタと前記右目用シャッタとが共に閉状態となる期間では前記バックライトを点灯させる制御を行う
請求項１に記載の立体表示システム。
【請求項４】
前記表示制御部は、前記表示パネルにおいて、同一の前記左目用画像と同一の前記右目用画像とをそれぞれ２回以上ずつ連続的に表示させ、連続する複数の前記左目用画像と連続する複数の前記右目用画像とを交互に表示させる制御を行う
請求項１に記載の立体表示システム。
【請求項５】
前記シャッタ制御部は、前記表示パネルに表示される画像の表示状態に応じて、前記左目用シャッタのみが開状態となる期間と、前記右目用シャッタのみが開状態となる期間と、前記左目用シャッタと前記右目用シャッタとが共に開状態となる期間と、前記左目用シャッタと前記右目用シャッタとが共に閉状態となる期間とが含まれるように開閉状態を制御し、
前記バックライト制御部は、前記左目用シャッタのみが開状態となる期間と、前記右目用シャッタのみが開状態となる期間においても、前記バックライトを点灯させる制御を行う
請求項３に記載の立体表示システム。
【請求項６】
前記シャッタ制御部は、
前記左目用シャッタについては、観察者に前記左目用画像を視認させる期間にシャッタを開状態にすると共に、前記左目用画像を視認させる期間の前または後において連続する所定期間にもシャッタを開状態とし、
前記右目用シャッタについては、観察者に前記右目用画像を視認させる期間にシャッタを開状態にすると共に、前記右目用画像を視認させる期間の前または後において連続する所定期間にもシャッタを開状態とするように開閉状態を制御する
請求項１に記載の立体表示システム。
【請求項７】
前記シャッタ制御部は、
前記表示パネルにおいて片目あたりの画像を表示する周期をＴとし、観察者に前記左目用画像または前記右目用画像を視認させる期間をｔｗとしたとき、前記左目用シャッタと前記右目用シャッタとの開閉タイミングの位相差が、
ｔｗ以上、Ｔ／２未満
となるように開閉状態を制御する
請求項１ないし６のいずれか１項に記載の立体表示システム。
【請求項８】
前記シャッタ制御部は、
前記左目用シャッタまたは前記右目用シャッタが閉状態から開状態へと遷移する立ち上がり時間をｔｒ、
前記左目用シャッタまたは前記右目用シャッタが開状態から閉状態へと遷移する立ち下がり時間をｔｆとしたとき、
前記左目用シャッタと前記右目用シャッタとの開閉タイミングの位相差が、
ｔｒ＋ｔｗ以上、Ｔ／２−ｔｆ未満
となるように開閉状態を制御する
請求項１ないし６のいずれか１項に記載の立体表示システム。
【請求項９】
前記バックライト制御部は、
前記左目用シャッタおよび前記右目用シャッタのうち開閉タイミングの位相が進んでいる方のシャッタの立ち上がり期間ｔｒにおいても、前記バックライトを消灯させる制御を行う
請求項８に記載の立体表示システム。
【請求項１０】
前記バックライト制御部は、
前記左目用シャッタおよび前記右目用シャッタのうち開閉タイミングの位相が遅れている方のシャッタの立ち下がり期間ｔｆにおいても、前記バックライトを消灯させる制御を行う
請求項８に記載の立体表示システム。
【請求項１１】
画像表示を行う表示パネルと、
前記表示パネルに向けて画像表示用の光を照射するバックライトと、
開閉制御される左目用シャッタと右目用シャッタとを有するシャッタメガネと
を備え、
前記左目用シャッタと前記右目用シャッタとが共に開状態となる期間を含み、
前記左目用シャッタと前記右目用シャッタとが共に開状態となる期間では前記バックライトを消灯させる
立体表示システム。
【請求項１２】
前記表示パネルは、前記シャッタメガネの開閉状態に関わらず、前記左目用シャッタと前記右目用シャッタとが共に開状態となる期間も含めて常時、画像の表示を行う
請求項１１に記載の立体表示システム。
【発明の詳細な説明】
【技術分野】
【０００１】
本発明は、シャッタメガネを用いて立体表示を行う立体表示システムに関する。
【背景技術】
【０００２】
従来より、液晶シャッタを利用した立体視用の特殊なシャッタメガネを装着させて観察者の両目に視差のある別々の画像を見せることで、立体視を実現するメガネ式の立体表示装置が知られている（特許文献１ないし３参照）。立体視を実現するためには、左目と右目とに異なる視差画像を見せる必要があるため、左目用画像と右目用画像との２つの視差画像が必要となる。メガネ式の立体表示装置では、例えば液晶表示パネルなどの２次元表示パネルに時分割で左目用画像と右目用画像とを交互に表示し、その表示タイミングに同期させてシャッタメガネの液晶シャッタを左目と右目とで交互にオン／オフ（開／閉）制御することで、立体視を実現する。
【先行技術文献】
【特許文献】
【０００３】
【特許文献１】特開平９−１３８３８４号公報
【特許文献２】特開２０００−３６９６９号公報
【特許文献３】特開２００３−４５３４３号公報
【発明の概要】
【発明が解決しようとする課題】
【０００４】
しかしながら、液晶表示パネルの場合、画像をライン毎に上書きする線順次方式の表示デバイスであり、また、液晶の応答速度が比較的遅いため、駆動信号を印加してから画面全域で画像が完全に切り換わるまでに遅延が生ずる場合がある。このため、左右の各視差画像を時分割で表示する場合において、左右の各視差画像が完全に切り換わらずに、左右の各視差画像が混じって表示されるクロストークが発生する場合がある。このような表示状態では、シャッタメガネで左右の切り換えを行った場合に、右目用画像の一部が左目に、左目用画像の一部が右目に漏れ込む状態となってしまう。これを改善する方法として、液晶表示パネルの駆動周波数を高め、左右の各視差画像を時分割で２度書きする方法が考えられる。例えば左目用画像をＬ、右目用画像をＲとすると、ＬＬＲＲの順に画像表示を行う方法が考えられる。この場合、同じ画像を連続的に２度書き（２回表示）することで、左右の各視差画像を１枚ずつ交互に表示する場合に比べて左右の各視差画像の切り換えが改善される。そして左右の各視差画像が画面全域で切り換わったタイミングでシャッタメガネの液晶シャッタをオン／オフ制御することで、クロストークを改善できる。
【０００５】
図８（Ａ）〜（Ｃ）は、そのような２度書き方式を用いた立体表示システムにおける各部の応答タイミングの第１の例を模式的に示している。特に図８（Ａ）は液晶表示パネルでの画像表示の応答タイミングを模式的に示し、図８（Ｂ）はバックライトの点灯タイミングを模式的に示している。図８（Ｃ）はシャッタメガネにおける左目用シャッタおよび右目用シャッタの開閉タイミングを模式的に示している。
【０００６】
この第１の表示例では、図８（Ａ）に示したように、右目用画像Ｒと左目用画像Ｌのそれぞれを２４０［Ｈｚ］の駆動周波数で液晶表示パネルに表示している。図８（Ａ）において、１回の書き込みにより右目用画像Ｒまたは左目用画像Ｌが表示される時間は、１／２４０［Ｈｚ］＝４．２［ｍｓ］である。また、１／６０［Ｈｚ］＝１６．７［ｍｓ］の期間内にＬＬＲＲの順に左右の画像データの書き込みを行っている。
【０００７】
図８（Ａ）では、液晶表示パネルの画面下辺（Ｙ＝０）から画面上辺（Ｙ＝Ｙ０）に至る縦方向の各位置において、時間とともに輝度が変化している様子を示している。この第１の表示例では、図８（Ｂ）に示すように、液晶表示パネルでの画像の表示状態に関わらず、バックライトは常時点灯（発光）している。
【０００８】
図８（Ａ）に示すように、画面上辺（Ｙ＝Ｙ０）では、例えば時刻ｔ２０から時刻ｔ２１までの４．２［ｍｓ］間に左目用画像Ｌが書き込まれ、続けて時刻ｔ２１から時刻ｔ２２までの４．２［ｍｓ］間に再び左目用画像Ｌが書き込まれる。そして、左目用画像Ｌを２回書き込んだ後に右目用画像Ｒが書き込まれる。右目用画像Ｒについても、画面上辺（Ｙ＝Ｙ０）では、例えば時刻ｔ２２から時刻ｔ２３までの４．２［ｍｓ］間に右目用画像Ｒが書き込まれ、続けて時刻ｔ２３から時刻ｔ２４までの４．２［ｍｓ］間に再び右目用画像Ｒが書き込まれる。
【０００９】
一般に液晶表示パネルは、その応答時間が比較的遅いため、書き込み時間が短時間であると、各画素が所望の輝度に達しない。このため、駆動周波数を高くして右目用画像Ｒと左目用画像Ｌとを交互に書き込むと、１回の書き込み時間が短くなり、１回目の書き込み後にしか所望の輝度に到達しないため、画面上辺と下辺の両方が所望の輝度に達しているタイミングが存在しない。
【００１０】
これに対し、図８（Ａ）の表示例では、右目用画像Ｒと左目用画像Ｌとをそれぞれ２度に渡って書き込みしているため、２回目の書き込み時には、１回目に既に同じ画像を書き込んでいることから、所望の輝度を保持することができる。従って、所定期間の間、画面の上辺と下辺の両方で所望の輝度に達した状態を実現できる。例えば図８（Ａ）において、時刻ｔ２２の時点では、画面上辺から画面下辺に至る画面全域において、左目用画像Ｌの輝度が所望のレベルに到達している。このため、図８（Ｃ）に示すように、時刻ｔ２２を中心とする所定の期間（例えば２．１ｍｓ）だけ左目用シャッタを開口させることで、ユーザの左目には左目用画像Ｌのみが視認される。同様に、例えば図８（Ａ）において、時刻ｔ２４の時点では、画面上辺から画面下辺に至る画面全域において、右目用画像Ｒの輝度は所望のレベルに到達している。このため、図８（Ｃ）に示すように、時刻ｔ２４を中心とする所定の期間（例えば２．１ｍｓ）だけ右目用シャッタを開口させることで、ユーザの右目には右目用画像Ｒのみが視認される。
【００１１】
このように、図８（Ａ）〜（Ｃ）に示した第１の表示例では、右目用画像Ｒと左目用画像Ｌとをそれぞれ２度に渡って書き込みすることにより、画面全域において左目用画像Ｌあるいは右目用画像Ｒが所望の輝度レベルに到達している所定の期間（例えば２．１ｍｓ）を得ている。そして、その所望の輝度レベルに到達している所定の期間のみシャッタを開くことにより、クロストークを抑えている。
【００１２】
図９（Ａ）〜（Ｃ）は、２度書き方式を用いた立体表示システムにおける各部の応答タイミングの第２の例を模式的に示している。特に図９（Ａ）は図８（Ａ）と同様に、液晶表示パネルでの画像表示の応答タイミングを模式的に示し、図９（Ｂ）は図８（Ｂ）と同様に、バックライトの点灯タイミングを模式的に示している。図９（Ｃ）は図８（Ｃ）と同様に、シャッタメガネにおける左目用シャッタおよび右目用シャッタの開閉タイミングを模式的に示している。
【００１３】
上記第１の表示例では、図８（Ｂ）から分かるようにバックライトを常時点灯するようにしていたが、この第２の表示例では、図９（Ｂ），（Ｃ）から分かるように、液晶シャッタの開閉に同期してバックライトの点灯状態をオン／オフ制御している。なお、液晶表示パネル側の表示状態は、図９（Ａ）と図８（Ａ）とで同じである。
【００１４】
この第２の表示例では、図９（Ｃ）に示したように左目用シャッタは、例えば時刻ｔ４０〜ｔ４１間で開かれる。一方で、左目用シャッタの開閉と同期して、図９（Ｂ）に示したように時刻ｔ３０〜ｔ３１間で、バックライトを点灯させる。時刻ｔ３０〜ｔ３１は、時刻ｔ２２を中心とする所定の期間（例えば２．１ｍｓ）である。この時刻ｔ２２を中心とする所定の期間は、図８（Ａ）の場合と同様に、画面上辺から画面下辺に至る画面全域において、左目用画像Ｌの輝度が所望のレベルに到達している期間である。図９（Ｂ），（Ｃ）から分かるように、左目用シャッタが開状態となる時刻ｔ４０〜ｔ４１の区間は、左目用にバックライトが点灯する時刻ｔ３０〜ｔ３１の区間よりも十分に長く設定されている。
【００１５】
右目側についても同様に、右目用シャッタは例えば時刻ｔ４２〜ｔ４３間で開かれる。この右目用シャッタの開閉と同期して、時刻ｔ３２〜ｔ３３間でバックライトを点灯させる。時刻ｔ３２〜ｔ３３は、時刻ｔ２４を中心とする所定の期間（例えば２．１ｍｓ）である。この時刻ｔ２４を中心とする所定の期間は、図８（Ａ）の場合と同様に、画面上辺から画面下辺に至る画面全域において、右目用画像Ｒの輝度が所望のレベルに到達している期間である。図９（Ｂ），（Ｃ）から分かるように、右目用シャッタが開状態となる時刻ｔ４２〜ｔ４３の区間は、右目用にバックライトが点灯する時刻ｔ３２〜ｔ３３の区間よりも十分に長く設定されている。
【００１６】
このように、図９（Ａ）〜（Ｃ）に示した第２の表示例では、上記第１の表示例に比べてシャッタの開口時間を長くする一方で、画面全域において左目用画像Ｌあるいは右目用画像Ｒが所望の輝度レベルに到達している所定の期間（例えば２．１ｍｓ）のみバックライトを点灯させる。その他の期間ではバックライトを消灯させる。これにより、クロストークを抑えている。
【００１７】
ところで、以上で説明した立体表示システムにおいて、シャッタメガネには、ディスプレイからの映像の光だけでなく、視聴環境によっては外部照明の光も入射される。外部照明に利用される非インバータの蛍光灯や一部のＬＥＤ照明などは、商用電源の２倍の周波数で点滅している。このため、この外部照明の点滅周波数と液晶シャッタの開閉周波数とが特定の関係にあるときにフリッカが発生する。これは、観察者にとっては非常に不快であり、視覚疲労の原因となる。フリッカの強度はシャッタの開口時間にも依存しており、開口時間が短い場合には、特にフリッカが強く感じられる。従って、図８（Ａ）〜（Ｃ）に示した第１の表示例では、シャッタの開口時間が短いため、外部照明との干渉によるフリッカが強くなるという問題がある。一方、図９（Ａ）〜（Ｃ）に示した第２の表示例では、シャッタの開口時間が長いため、フリッカは軽減される。しかしながら、バックライトを一部の期間しか点灯させないため、第１の表示例のようにバックライトを常時点灯させる場合に比べて液晶表示パネルの温度が低下する。これにより液晶表示パネルにおいて液晶の応答性が低下し、クロストークが発生する問題がある。
【００１８】
本発明はかかる問題点に鑑みてなされたもので、その目的は、少なくとも、外部照明の点滅周波数とシャッタメガネの開閉周波数との干渉によって発生するフリッカを軽減することにより、立体表示の快適な視聴環境を実現できる立体表示システムを提供することにある。
【課題を解決するための手段】
【００１９】
本発明の第１の観点に係る立体表示システムは、画像表示を行う表示パネルと、表示パネルに向けて画像表示用の光を照射するバックライトと、互いに独立して開閉制御される左目用シャッタと右目用シャッタとを有するシャッタメガネと、表示パネルに左目用画像と右目用画像とを時分割で交互に表示させる表示制御部と、バックライトの点灯状態の制御を行うバックライト制御部と、表示パネルに表示される画像の表示状態に応じて、左目用シャッタと右目用シャッタとの開閉状態を制御するシャッタ制御部とを備えている。
そして、シャッタ制御部が、左目用シャッタと右目用シャッタとの開閉状態が同じとなる期間を含むように開閉状態を制御し、バックライト制御部が、少なくとも左目用シャッタと右目用シャッタとが共に開状態となる期間ではバックライトを消灯させる制御を行うようにしたものである。
さらに、少なくとも左目用シャッタと右目用シャッタとが共に閉状態となる期間ではバックライトを点灯させる制御を行うようにしても良い。
【００２０】
本発明の第２の観点に係る立体表示システムは、画像表示を行う表示パネルと、表示パネルに向けて画像表示用の光を照射するバックライトと、開閉制御される左目用シャッタと右目用シャッタとを有するシャッタメガネとを備えている。
そして、左目用シャッタと右目用シャッタとが共に開状態となる期間を含み、左目用シャッタと右目用シャッタとが共に開状態となる期間ではバックライトを消灯させるようにしたものである。
【００２１】
本発明の第１または第２の観点に係る立体表示システムでは、左目用シャッタと右目用シャッタとの開閉状態が同じとなる期間を含むようにシャッタの開閉状態が制御されると共に、少なくとも左目用シャッタと右目用シャッタとが共に開状態となる期間ではバックライトを消灯させる制御が行われる。さらに好ましくは、少なくとも左目用シャッタと右目用シャッタとが共に閉状態となる期間ではバックライトを点灯させる制御が行われる。
【発明の効果】
【００２２】
本発明の第１または第２の観点に係る立体表示システムによれば、左目用シャッタと右目用シャッタとの開閉状態が同じとなる期間を含むようにシャッタの開閉状態を制御すると共に、少なくとも左目用シャッタと右目用シャッタとが共に開状態となる期間ではバックライトを消灯させる制御を行うようにしたので、左右の各シャッタを開状態にする期間を長くでき、外部照明の点滅周波数とシャッタメガネの開閉周波数との干渉によって発生するフリッカを軽減することができる。さらに、少なくとも左目用シャッタと右目用シャッタとが共に閉状態となる期間においてバックライトを点灯させる制御を行うようにすることで、バックライトが点灯している期間を長くでき、表示パネルの温度低下によるクロストークの発生を抑制することができる。このようにバックライトの点灯状態の制御と、シャッタメガネにおける左右の各シャッタの開閉制御とを従来とは異なる方法で最適化するようにしたので、立体表示の快適な視聴環境を実現できる。
【図面の簡単な説明】
【００２３】
【図１】本発明の第１の実施の形態に係る立体表示システムの一構成例を示すブロック図である。
【図２】第１の実施の形態に係る立体表示システムにおける各部の応答タイミングを模式的に示すタイミングチャートである。特に（Ａ）は液晶表示パネルでの画像表示の応答タイミングを模式的に示し、（Ｂ）はバックライトの点灯タイミングを模式的に示す。（Ｃ）は左目用シャッタの開閉タイミングを模式的に示し、（Ｄ）は右目用シャッタの開閉タイミングを模式的に示す。
【図３】第１の実施の形態の第１の変形例に係る立体表示システムにおける各部の応答タイミングを模式的に示すタイミングチャートである。特に（Ａ）は液晶表示パネルでの画像表示の応答タイミングを模式的に示し、（Ｂ）はバックライトの点灯タイミングを模式的に示す。（Ｃ）は左目用シャッタの開閉タイミングを模式的に示し、（Ｄ）は右目用シャッタの開閉タイミングを模式的に示す。
【図４】第１の実施の形態の第２の変形例に係る立体表示システムにおける各部の応答タイミングを模式的に示すタイミングチャートである。特に（Ａ）は液晶表示パネルでの画像表示の応答タイミングを模式的に示し、（Ｂ）はバックライトの点灯タイミングを模式的に示す。（Ｃ）は左目用シャッタの開閉タイミングを模式的に示し、（Ｄ）は右目用シャッタの開閉タイミングを模式的に示す。
【図５】第２の実施の形態に係る立体表示システムにおける各部の応答タイミングを模式的に示すタイミングチャートである。特に（Ａ）は液晶表示パネルでの画像表示の応答タイミングを模式的に示し、（Ｂ）はバックライトの点灯タイミングを模式的に示す。（Ｃ）は左目用シャッタの開閉タイミングを模式的に示し、（Ｄ）は右目用シャッタの開閉タイミングを模式的に示す。
【図６】第２の実施の形態の第１の変形例に係る立体表示システムにおける各部の応答タイミングを模式的に示すタイミングチャートである。特に（Ａ）は液晶表示パネルでの画像表示の応答タイミングを模式的に示し、（Ｂ）はバックライトの点灯タイミングを模式的に示す。（Ｃ）は左目用シャッタの開閉タイミングを模式的に示し、（Ｄ）は右目用シャッタの開閉タイミングを模式的に示す。
【図７】第２の実施の形態の第２の変形例に係る立体表示システムにおける各部の応答タイミングを模式的に示すタイミングチャートである。特に（Ａ）は液晶表示パネルでの画像表示の応答タイミングを模式的に示し、（Ｂ）はバックライトの点灯タイミングを模式的に示す。（Ｃ）は左目用シャッタの開閉タイミングを模式的に示し、（Ｄ）は右目用シャッタの開閉タイミングを模式的に示す。
【図８】本発明に対する第１の比較例に係る立体表示システムにおける各部の応答タイミングを模式的に示すタイミングチャートである。特に（Ａ）は液晶表示パネルでの画像表示のタイミングを模式的に示し、（Ｂ）はバックライトの点灯タイミングを模式的に示す。（Ｃ）は左目用シャッタおよび右目用シャッタの開閉タイミングを模式的に示す。
【図９】本発明に対する第２の比較例に係る立体表示システムにおける各部の応答タイミングを模式的に示すタイミングチャートである。特に（Ａ）は液晶表示パネルでの画像表示の応答タイミングを模式的に示し、（Ｂ）はバックライトの点灯タイミングを模式的に示す。（Ｃ）は左目用シャッタおよび右目用シャッタの開閉タイミングを模式的に示す。
【発明を実施するための形態】
【００２４】
以下、本発明の実施の形態について図面を参照して詳細に説明する。
【００２５】
＜第１の実施の形態＞
［システム構成］
図１は、本発明の第１の実施の形態に係る立体表示システムの一構成例を示している。この立体表示システムは、画像表示を行う液晶表示パネル１１と、液晶表示パネル１１に向けて画像表示用の光を照射するバックライト１２と、互いに独立して開閉制御される左目用シャッタ２０Ｌと右目用シャッタ２０Ｒとを有するシャッタメガネ２０とを備えている。この立体表示システムはまた、ゲートドライバ１３と、データドライバ１４と、左右映像信号制御部１５と、タイミング制御部１６と、シャッタ制御部１７と、バックライト制御部１８と、赤外線エミッタ１９とを備えている。
【００２６】
液晶表示パネル１１は、バックライト１２から照射された光の通過状態を液晶分子によってコントロールすることによって画像表示を行う透過型の表示パネルである。液晶表示パネル１１は、図示しないが、画素電極基板と、画素電極基板に対向するように配置された透明な対向基板と、画素電極基板と対向基板との間に封入された液晶層とを備えている。対向基板の液晶層側には、例えば共通電極が一様に形成されている。画素電極基板の液晶層側には、例えばＲ（赤色）用画素、Ｇ（緑色）用画素、およびＢ（青色）用画素からなる複数の画素電極がマトリクス状に形成されている。共通電極と画素電極は、例えばＩＴＯ（Indium-Tin Oxide）による透明電極によって形成されている。画素電極は、ゲートドライバ１３およびデータドライバ１４からの駆動信号に基づいて、例えばＴＦＴ（薄膜トランジスタ）によって電圧の印加状態が制御されるようになっている。
【００２７】
左右映像信号制御部１５およびタイミング制御部１６は、液晶表示パネル１１に左目用画像Ｌと右目用画像Ｒとを時分割で交互に表示させる「表示制御部」としての機能を実現するためのものである。表示制御部は、液晶表示パネル１１において、同一の左目用画像Ｌと同一の右目用画像Ｒとをそれぞれ２回以上ずつ連続的に表示させ、連続する複数の左目用画像Ｌと連続する複数の右目用画像Ｒとを交互に表示させる制御を行うようになっている。本実施の形態では特に、後述する図２（Ａ）に示すように、同じ画像を連続的に２度書き（２回表示）する方式、すなわち、ＬＬＲＲの順に画像表示を行っていく場合を例に説明する。
【００２８】
左右映像信号制御部１５には、右目用画像Ｒおよび左目用画像Ｌを表示するための左右映像信号が入力されるようになっている。左右映像信号制御部１５は、液晶表示パネル１１に右目用画像Ｒと左目用画像Ｌとを交互に表示させるため、左右映像信号を交互に出力するようになっている。また、左右映像信号制御部１５は、入力された左右映像信号に基づいて、後述する図２（Ａ）に示すような画像の２度書き込みを行うため、右目用映像信号と左目用映像信号のそれぞれについて、同じ信号が２つ連続するように変換を行う。
【００２９】
また、左右映像信号制御部１５は、２つ連続するように変換された右目用映像信号および左目用映像信号の切り換わりのタイミングを示すタイミング信号をバックライト制御部１８とシャッタ制御部１７とに送るようになっている。
【００３０】
タイミング制御部１６には、左右映像信号制御部１５で変換された右目用映像信号および左目用映像信号が入力されるようになっている。タイミング制御部１６は、入力された右目用映像信号および左目用映像信号を液晶表示パネル１１へ入力するための信号に変換し、ゲートドライバ１３およびデータドライバ１４の動作に用いられるパルス信号を生成するようになっている。タイミング制御部１６で変換された信号は、ゲートドライバ１３とデータドライバ１４のそれぞれに入力される。
【００３１】
ゲートドライバ１３およびデータドライバ１４は、タイミング制御部１６で生成されたパルス信号を受け、入力された信号に基づいて液晶表示パネル１１の各画素を発光させる（バックライト１２からの光が通過可能となるように各画素電極に駆動電圧を印加する）ようになっている。これにより、液晶表示パネル１１に映像が表示される。
【００３２】
バックライト制御部１８は、バックライト１２の点灯状態の制御を行うものである。バックライト制御部１８は、左右映像信号制御部１５から入力されたタイミング信号に基づいて、バックライト１２を点滅させるための点滅タイミング信号を出力するようになっている。バックライト制御部１８は、後述の図２（Ｂ），（Ｃ），（Ｄ）に示すように、少なくともシャッタメガネ２０の左目用シャッタ２０Ｌと右目用シャッタ２０Ｒとが共に開状態となる期間（例えば図２（Ｃ），（Ｄ）における時刻ｔ１１〜ｔ１２の期間）では、バックライト１２を消灯させる制御を行うようになっている。バックライト制御部１８はまた、少なくとも左目用シャッタ２０Ｌと右目用シャッタ２０Ｒとが共に閉状態となる期間（例えば図２（Ｃ），（Ｄ）における時刻ｔ１３〜ｔ１４の期間）では、バックライト１２を点灯させる制御を行うようになっている。バックライト制御部１８はまた、左目用シャッタ２０Ｌのみが開状態となる期間（例えば図２（Ｃ）における時刻ｔ１０〜ｔ１１の期間）と、右目用シャッタ２０Ｒのみが開状態となる期間（例えば図２（Ｄ）における時刻ｔ１２〜ｔ１３の期間）においても、バックライト１２を点灯させる制御を行うようになっている。
【００３３】
バックライト１２は、点灯／消灯の制御を高速に行うことが可能で、かつ残光特性の良好な光源、例えばＬＥＤ（Light Emitting Diode）を用いて構成されている。バックライト１２で用いられている蛍光体の残光特性は、ＲＧＢの３色で等しいものとされている。バックライト１２は、バックライト制御部１８から送られた点滅タイミング信号に基づいて点灯／消灯が行われるようになっている。
【００３４】
シャッタ制御部１７は、液晶表示パネル１１に表示される画像の表示状態に応じて、左目用シャッタ２０Ｌと右目用シャッタ２０Ｒとの開閉状態を制御するものである。シャッタ制御部１７は、後述の図２（Ｃ），（Ｄ）に示すように、左目用シャッタ２０Ｌと右目用シャッタ２０Ｒとの開閉状態が同じとなる期間を含むように開閉状態を制御するようになっている。具体的には、液晶表示パネル１１に表示される画像の表示状態に応じて、左目用シャッタ２０Ｌのみが開状態となる期間と、右目用シャッタ２０Ｒのみが開状態となる期間と、左目用シャッタ２０Ｌと右目用シャッタ２０Ｒとが共に開状態となる期間と、左目用シャッタ２０Ｌと右目用シャッタ２０Ｒとが共に閉状態となる期間とが含まれるように開閉状態を制御するようになっている。
【００３５】
シャッタ制御部１７は、左右映像信号制御部１５から送られたタイミング信号に基づいて、シャッタメガネ２０の左目用シャッタ２０Ｌと右目用シャッタ２０Ｒとを開閉させるための開閉タイミング信号を赤外線エミッタ１９へ送るようになっている。赤外線エミッタ１９は、赤外線通信により開閉タイミング信号をシャッタメガネ２０に対して送信するようになっている。
【００３６】
シャッタメガネ２０は、液晶シャッタによる左目用シャッタ２０Ｌと右目用シャッタ２０Ｒとを有している。シャッタメガネ２０はまた、赤外線通信の受信装置を有している。シャッタメガネ２０は、赤外線エミッタ１９を介して受信したシャッタ制御部１７からの開閉タイミング信号に基づいて、左目用シャッタ２０Ｌと右目用シャッタ２０Ｒとの開閉動作を行うようになっている。
【００３７】
［表示動作］
次に、図２（Ａ）〜（Ｄ）を参照して、この立体表示システムの表示に係る動作、特に、液晶表示パネル１１の応答タイミング（図２（Ａ））と、バックライト１２の点滅（点灯）タイミング（図２（Ｂ））と、シャッタメガネ２０の開閉タイミング（図２（Ｃ），（Ｄ））との各タイミングの制御動作について説明する。
【００３８】
図２（Ａ）は、図８（Ａ）の表示例と同様に、液晶表示パネル１１の画面上辺から画面下辺に向けて線順次で表示が行われ、画面上辺から画面下辺に至る縦方向の各位置において、時間とともに輝度が変化している様子を示している。また、図２（Ｂ）はバックライト１２の点灯タイミングを模式的に示している。図２（Ｃ）はシャッタメガネ２０における左目用シャッタ２０Ｌの開閉タイミングを模式的に示し、図２（Ｄ）は右目用シャッタ２０Ｒの開閉タイミングを模式的に示している。
【００３９】
なお、観察者からすると、バックライト１２が点灯状態にあり、かつ、液晶表示パネル１１が表示状態（有効な表示データの書き込みがなされている状態）にあるときに、液晶表示パネル１１に画像表示がなされていると認識できる。逆に言うと、液晶表示パネル１１が表示状態であっても、バックライト１２が消灯状態であるときには、観察者からすると、液晶表示パネル１１に画像表示がなされていない期間と認識できる。さらに言うと、観察者にとっての画像表示の状態はシャッタメガネ２０の開閉状態によっても変わる。従って、本実施の形態において、例えば「液晶表示パネル１１に画像を表示する」とは、観察者から見て画像が表示されているか否かは関係なく、あくまで、液晶表示パネル１１の単体の動作状態として、画像表示を行っている状態（有効な表示データの書き込みがなされている状態）にあることを意味する。本実施の形態では、表示制御部としての左右映像信号制御部１５およびタイミング制御部１６が、シャッタメガネ２０の開閉状態に関わらず、左目用シャッタ２０Ｌと右目用シャッタ２０Ｒとが共に開状態となる期間も含めて常時、液晶表示パネル１１に画像を表示させる制御を行う。
【００４０】
まず、図２（Ａ）に示した液晶表示パネル１１における表示動作について説明する。本実施の形態では、液晶表示パネル１１における液晶の応答速度の不足に起因するクロストークの発生、および輝度不足等を解消するため、液晶表示パネル１１の駆動周波数を高め、左右の画像の１フレームを液晶表示パネル１１に２度表示させる（２度書き込む）という手法を採用している。液晶表示パネル１１では、図２（Ａ）に示したように右目用画像Ｒと左目用画像Ｌとのそれぞれを２４０［Ｈｚ］の駆動周波数で表示しており、１回の表示データの書き込みにより右目用画像Ｒまたは左目用画像Ｌが表示される時間は、１／２４０［Ｈｚ］＝４．２［ｍｓ］である。また、１／６０［Ｈｚ］＝１６．７［ｍｓ］の期間内にＬＬＲＲの順に左右の画像データの書き込みを行っている。
【００４１】
図２（Ａ）に示すように、画面上辺では、例えば時刻ｔ１から時刻ｔ２までの４．２［ｍｓ］間に左目用画像Ｌが書き込まれ、続けて時刻ｔ２から時刻ｔ３までの４．２［ｍｓ］間に再び左目用画像Ｌが書き込まれる。ここで、時刻ｔ１から時刻ｔ２の間に書き込まれる左目用画像Ｌと時刻ｔ２から時刻ｔ３の間に書き込まれる左目用画像Ｌは、基本的には同一の画像であるが、オーバードライブ処理などの調整に起因して相違するものであってもよい。また、１回目に書き込まれる左目用画像Ｌと２回目に書き込まれる左目用画像Ｌとの間に所定のブランク期間を設けても良い。
【００４２】
そして、左目用画像Ｌを２回書き込んだ後に右目用画像Ｒが書き込まれる。右目用画像Ｒについても、画面上辺では、例えば時刻ｔ３から時刻ｔ４までの４．２［ｍｓ］間に右目用画像Ｒが書き込まれ、続けて時刻ｔ４からｔ５までの４．２［ｍｓ］間に再び右目用画像Ｒが書き込まれる。時刻ｔ３からｔ４の間に書き込まれる右目用画像Ｒと時刻ｔ４から時刻ｔ５の間に書き込まれる右目用画像Ｒは、基本的には同一の画像であるが、オーバードライブ処理などの調整に起因して相違するものであってもよい。また、１回目に書き込まれる右目用画像Ｒと２回目に書き込まれる右目用画像Ｒとの間、または左目用画像Ｌと右目用画像Ｒの間に所定のブランク期間を設けても良い。
【００４３】
一般に液晶表示パネル１１においては、液晶の応答時間が比較的遅いため、書き込み時間が短時間であると、各画素が所望の輝度に達しない。このため、駆動周波数を高くして右目用画像Ｒと左目用画像Ｌとを交互に書き込むと、１回の書き込み時間（＝４．２ｍｓ）が短くなり、１回目の書き込み後にしか所望の輝度に到達しないため、画面上辺と下辺の両方が所望の輝度に達しているタイミングが存在しない。これに対して図２（Ａ）の表示例では、右目用画像Ｒと左目用画像Ｌとをそれぞれ２度に渡って書き込みしているため、２回目の書き込み時には、所望の輝度を保持することができる。従って、画面の上辺と下辺の両方で所望の輝度に達した状態を実現できる。
【００４４】
例えば図２（Ａ）において、時刻ｔ３の時点では、画面上辺から画面下辺に至る画面全域において、左目用画像Ｌの輝度が所望のレベルに到達している。同様に、例えば時刻ｔ５の時点では、画面上辺から画面下辺に至る画面全域において、右目用画像Ｒの輝度が所望のレベルに到達している。よって、時刻ｔ３を含む所定の期間ｔｗ＝ｔ１０〜ｔ１１（例えば２．１ｍｓ）のみを観察者の左目に視認させ、時刻ｔ５を含む所定の期間ｔｗ＝ｔ１２〜ｔ１３（例えば２．１ｍｓ）のみを観察者の右目に視認させることで、クロストークの発生を抑えることができる。なお、クロストークと輝度はトレードオフの関係にあるので、どちらを優先するかによって観察者に視認させる期間は適宜設定できる。
【００４５】
次に、図２（Ｂ）〜（Ｄ）に示したバックライト１２とシャッタメガネ２０の動作について説明する。本実施の形態では、シャッタメガネ２０における液晶シャッタの開閉時の過渡特性は無視できるものとする。なお、上述したようにバックライト１２の点灯／消灯の制御はバックライト制御部１８によって行われる。シャッタメガネ２０の開閉状態の制御は、シャッタ制御部１７によって行われる。
【００４６】
バックライト１２は、左目用画像Ｌから右目用画像Ｒに順次書き替えられている期間、すなわち例えば図２（Ｂ）に示した期間においては、時刻ｔ１１〜ｔ１２および時刻ｔ１５〜ｔ１６の期間のみ消灯し、それ以外の期間（例えば時刻ｔ１２〜ｔ１５）では点灯するように制御される。
【００４７】
また左目用シャッタ２０Ｌは、液晶表示パネル１１全域に右目用画像が表示されている期間、および右目用画像Ｒから左目用画像Ｌに順次書き替えられている期間、すなわち例えば図２（Ｃ）に示した期間においては、時刻ｔ１２〜ｔ１４の期間では閉状態にし、それ以外の期間（時刻ｔ１０〜ｔ１２および時刻ｔ１４〜ｔ１６）では開状態となるように制御される。
【００４８】
一方、右目用シャッタ２０Ｒは、液晶表示パネル１１全域に左目用画像Ｌが表示されている期間、および１回目の左目用画像Ｌが書き込まれている期間、すなわち例えば図２（Ｄ）に示した期間においては、時刻ｔ１３〜ｔ１５の期間では閉状態にし、それ以外の期間（時刻ｔ１１〜ｔ１３および時刻ｔ１５〜ｔ１７）では開状態となるように制御される。
【００４９】
ここで、左目用シャッタ２０Ｌと右目用シャッタ２０Ｒとの開閉タイミングの位相差に着目すると、例えば図８（Ｃ）および図９（Ｃ）に示した比較例では、片目あたりの画像を表示する周期をＴ（＝６０Ｈｚの周期）とすると、位相差がＴ／２の周期である。これに対して、図２（Ｃ），（Ｄ）の例では、位相差が、液晶表示パネル１１全域に左目用画像Ｌ（または右目用画像Ｒ）が表示されている期間ｔｗ（例えば２．１ｍｓすなわちＴ／８の周期）に設定されている。また、左右のシャッタ２０Ｌ，２０Ｒが共に開いている期間（例えば時刻ｔ１１〜ｔ１２の期間）ではバックライト１２を消灯させ、左右のシャッタ２０Ｌ，２０Ｒが共に閉じている期間（例えば時刻ｔ１３〜ｔ１４の期間）ではバックライト１２を点灯させている。したがって、画像の書き替え期間全てにおいてバックライト１２を消灯していた図９の比較例の方法と比較して、バックライト１２が点灯している時間の割合が大きくなる。このため、バックライト１２の発熱により液晶表示パネル１１の温度を上昇させることができ、液晶の応答性を向上させることができる。
【００５０】
以上説明したように、本実施の形態に係る立体表示システムによれば、左目用シャッタ２０Ｌと右目用シャッタ２０Ｒとの開閉状態が同じとなる期間を含むようにシャッタの開閉状態を制御すると共に、少なくとも左目用シャッタ２０Ｌと右目用シャッタ２０Ｒとが共に閉状態となる期間ではバックライト１２を点灯させる制御を行うようにしたので、バックライト１２が点灯している期間を長くでき、液晶表示パネル１１の温度低下による液晶の応答性の低下を抑え、クロストークの発生を抑制することができる。かつ、左目用シャッタ２０Ｌと右目用シャッタ２０Ｒとが共に開状態となる期間ではバックライト１２を消灯させる制御を行うようにしたので、左右の各シャッタを開状態にする期間を長くでき、外部照明の点滅周波数とシャッタメガネの開閉周波数との干渉によって発生するフリッカを軽減することができる。このように、液晶表示パネル１１において、同じ画像を連続的に２度書きする表示方式を採用しつつ、バックライト１２の点灯状態の制御と、シャッタメガネ２０における左右の各シャッタの開閉制御とを従来とは異なる方法で最適化するようにしたので、立体表示の快適な視聴環境を実現できる。
【００５１】
［第１の実施の形態の第１の変形例］
図３（Ａ）〜（Ｄ）は、図２（Ａ）〜（Ｄ）に示した表示例に対する第１の変形例を示している。特に図３（Ａ）は図２（Ａ）と同様に、液晶表示パネル１１での画像表示の応答タイミングを模式的に示し、図３（Ｂ）は図２（Ｂ）と同様に、バックライト１２の点灯タイミングを模式的に示している。図３（Ｃ）は図２（Ｃ）と同様に、シャッタメガネ２０における左目用シャッタ２０Ｌの開閉タイミングを模式的に示し、図３（Ｄ）は図２（Ｄ）と同様に、右目用シャッタ２０Ｒの開閉タイミングを模式的に示している。
【００５２】
図３（Ａ）に示した液晶表示パネル１１の応答タイミングは、図２（Ａ）と全く同じである。この第１の変形例では、左右のシャッタ２０Ｌ，２０Ｒの開閉タイミングが図２（Ｃ），（Ｄ）に示した状態とは左右逆の状態となっている。バックライト１２の点灯タイミングもシャッタの開閉タイミングに対応して、図２（Ｂ）に示した状態とは左右逆の状態となっている。
【００５３】
例えば左目用シャッタ２０Ｌについては、図２（Ｃ）の例では、観察者に左目用画像Ｌを視認させる期間ｔｗにシャッタを開状態にすると共に、その期間ｔｗの後において連続する所定期間にもシャッタを開状態にしている。図２（Ｃ）の例では、左目用シャッタ２０Ｌについての期間ｔｗはシャッタを閉状態にした直後に設けられている。これに対して、図３（Ｃ）の例では、観察者に左目用画像Ｌを視認させる期間ｔｗにシャッタを開状態にすると共に、その期間ｔｗの前において連続する所定期間にもシャッタを開状態にしている。図３（Ｃ）の例では、左目用シャッタ２０Ｌについての期間ｔｗはシャッタを閉状態にする直前に設けられている。
【００５４】
また、右目用シャッタ２０Ｒについては、図２（Ｄ）の例では、観察者に右目用画像Ｒを視認させる期間ｔｗにシャッタを開状態にすると共に、その期間ｔｗの前において連続する所定期間にもシャッタを開状態にしている。図２（Ｄ）の例では、右目用シャッタ２０Ｒについての期間ｔｗはシャッタを閉状態にする直前に設けられている。これに対して、図３（Ｄ）の例では、観察者に右目用画像Ｒを視認させる期間ｔｗにシャッタを開状態にすると共に、その期間ｔｗの後において連続する所定期間にもシャッタを開状態にしている。図３（Ｄ）の例では、右目用シャッタ２０Ｒについての期間ｔｗはシャッタを閉状態にした直後に設けられている。
【００５５】
この第１の変形例のような制御を行う場合にも、図２（Ａ）〜（Ｄ）に示した表示例と同様の効果を得ることができる。
【００５６】
［第１の実施の形態の第２の変形例］
図４（Ａ）〜（Ｄ）は、図２（Ａ）〜（Ｄ）に示した表示例に対する第２の変形例を示している。特に図４（Ａ）は図２（Ａ）と同様に、液晶表示パネル１１での画像表示の応答タイミングを模式的に示し、図４（Ｂ）は図２（Ｂ）と同様に、バックライト１２の点灯タイミングを模式的に示している。図４（Ｃ）は図２（Ｃ）と同様に、シャッタメガネ２０における左目用シャッタ２０Ｌの開閉タイミングを模式的に示し、図４（Ｄ）は図２（Ｄ）と同様に、右目用シャッタ２０Ｒの開閉タイミングを模式的に示している。
【００５７】
図４（Ａ）に示した液晶表示パネル１１の応答タイミングは、図２（Ａ）と全く同じである。この第２の変形例では、左目用シャッタ２０Ｌと右目用シャッタ２０Ｒとの開閉タイミングの位相差が図２（Ａ）〜（Ｄ）に示した表示例とは異なっている。図２（Ａ）〜（Ｄ）に示した表示例では、左目用シャッタ２０Ｌと右目用シャッタ２０Ｒとの開閉タイミングの位相差が、液晶表示パネル１１全域に左目用画像Ｌ（または右目用画像Ｒ）が表示されている期間ｔｗ（例えば２．１ｍｓすなわちＴ／８の周期）に設定されていたが、その位相差はｔｗ（Ｔ／８）以外であっても良い。本実施の形態に係る立体表示システムにおいて、その位相差は、ｔｗ以上Ｔ／２未満であれば、左右のシャッタ２０Ｌ，２０Ｒが共に閉じている期間を設けることができ、その期間にバックライト１２を点灯させることにより液晶表示パネル１１の温度を上昇させることができる。
【００５８】
図４（Ａ）〜（Ｄ）の表示例では、その位相差をＴ／４にした例を示している。この表示例では、図２（Ａ）〜（Ｄ）の表示例と比較して、左右のシャッタ２０Ｌ，２０Ｒが共に閉じている期間（例えば時刻ｔ１３’〜ｔ１４）にバックライト１２を点灯させることにより、図９（Ａ）〜（Ｃ）に示した第２の比較例の表示例よりも液晶表示パネル１１の温度を上昇させることができる。
【００５９】
＜第２の実施の形態＞
次に、本発明の第２の実施の形態に係る立体表示装置について説明する。
本実施の形態における立体表示システムの基本構成は、図１と同様である。ただし、本実施の形態における立体表示システムでは、バックライト１２の点滅（点灯）タイミングと、シャッタメガネ２０の開閉タイミングとの各タイミングの制御動作が部分的に上記第１の実施の形態とは異なっている。
【００６０】
図５（Ａ）〜（Ｄ）は、本実施の形態に係る立体表示システムの表示動作のタイミングを示している。特に図５（Ａ）は図２（Ａ）と同様に、液晶表示パネル１１での画像表示の応答タイミングを模式的に示し、図５（Ｂ）は図２（Ｂ）と同様に、バックライト１２の点灯タイミングを模式的に示している。図５（Ｃ）は図２（Ｃ）と同様に、シャッタメガネ２０における左目用シャッタ２０Ｌの開閉タイミングを模式的に示し、図５（Ｄ）は図２（Ｄ）と同様に、右目用シャッタ２０Ｒの開閉タイミングを模式的に示している。
【００６１】
上記第１の実施の形態では、シャッタメガネ２０における液晶シャッタの開閉時の過渡特性は無視できるものとして説明したが、本実施の形態では過渡特性が無視できない場合について説明する。時分割方式による立体表示においては、観察者が視認する左目用画像Ｌと右目用画像Ｒの明るさが異なると、視覚疲労の原因となる。したがって、左右のシャッタ２０Ｌ，２０Ｒの透過率がほぼ等しい状態で観察者に左右の画像を視認させる必要がある。
【００６２】
図５（Ａ）に示した液晶表示パネル１１の応答タイミングは、図２（Ａ）と全く同じであるので、特に図５（Ｂ）〜（Ｄ）に示したバックライト１２とシャッタメガネ２０の動作について説明する。なお、本実施の形態においても、バックライト１２の点灯／消灯の制御はバックライト制御部１８によって行われる。シャッタメガネ２０の開閉状態の制御は、シャッタ制御部１７によって行われる。
【００６３】
図５（Ｂ）〜（Ｄ）において、シャッタメガネ２０における液晶シャッタの開閉時の過渡特性が問題となる期間以外の制御については、図２（Ｂ）〜（Ｄ）と同様である。過渡特性が問題となる期間とは、液晶シャッタを開状態から閉状態へと遷移させる期間と、液晶シャッタを閉状態から開状態へと遷移させる期間である。
【００６４】
図５（Ｃ）において、例えば時刻ｔ２０〜ｔ１０の期間は、左目用シャッタ２０Ｌが閉状態から開状態へ遷移する立ち上がり時間ｔｒ（例えば１．４ｍｓ）を示しており、例えば時刻ｔ２２〜ｔ２３の期間は、左目用シャッタ２０Ｌが開状態から閉状態へ遷移する立ち下がり時間ｔｆ（例えば０．１ｍｓ）を示している。
【００６５】
同様に、図５（Ｄ）において、例えば時刻ｔ１１〜ｔ２１の期間は、右目用シャッタ２０Ｒが閉状態から開状態へ遷移する立ち上がり時間ｔｒ（例えば１．４ｍｓ）を示しており、例えば時刻ｔ１３〜ｔ２４の期間は、右目用シャッタ２０Ｒが開状態から閉状態へ遷移する立ち下がり時間ｔｆ（例えば０．１ｍｓ）を示している。通常左右で同じシャッタデバイスを用いるため、立ち上がり時間ｔｒおよび立ち下がり時間ｔｆは左右で等しい。
【００６６】
本実施の形態において、図２（Ｃ），（Ｄ）に示した液晶シャッタの開閉タイミングとの違いは、左目用シャッタ２０Ｌが開き始める時刻および閉じ始める時刻が、シャッタの立ち上がり時間ｔｒ分早まっている点である。なお、右目用シャッタ２０Ｒが開き始める時刻および閉じ始める時刻については、図２（Ｃ），（Ｄ）に示した開閉タイミングとの違いはない。すなわち、左目用シャッタ２０Ｌと右目用シャッタ２０Ｒとの開閉タイミングの位相差は、「ｔｒ＋ｔｗ」である。
【００６７】
本実施の形態において、バックライト１２の制御方法は、基本的には図２（Ｂ）に示した場合と同じように、左右のシャッタ２０Ｌ，２０Ｒが共に開いている期間はバックライト１２を消灯させ、左右のシャッタ２０Ｌ，２０Ｒが共に閉じている期間はバックライト１２を点灯させる。図２（Ｂ）に示した動作タイミングとの違いは、左目用シャッタ２０Ｌの立ち上がり期間ｔｒおよび右目用シャッタ２０Ｒの立ち下がり期間ｔｆにおいても、バックライト１２を消灯させている点である。
【００６８】
以上のようなバックライト１２とシャッタメガネ２０のタイミング制御により、左右のシャッタ２０Ｌ，２０Ｒの透過率がほぼ等しい状態で観察者に左右の画像を視認させることができる。また、画像の書き替え期間全てにおいて消灯するような表示方法（図９）と比較して、バックライト１２が点灯している時間の割合が大きくなるため、液晶表示パネル１１の温度を上昇させることができ、液晶の応答性を向上させることができる。
【００６９】
［第２の実施の形態の第１の変形例］
図６（Ａ）〜（Ｄ）は、図５（Ａ）〜（Ｄ）に示した表示例に対する第１の変形例を示している。特に図６（Ａ）は図６（Ａ）と同様に、液晶表示パネル１１での画像表示の応答タイミングを模式的に示し、図６（Ｂ）は図５（Ｂ）と同様に、バックライト１２の点灯タイミングを模式的に示している。図６（Ｃ）は図５（Ｃ）と同様に、シャッタメガネ２０における左目用シャッタ２０Ｌの開閉タイミングを模式的に示し、図６（Ｄ）は図５（Ｄ）と同様に、右目用シャッタ２０Ｒの開閉タイミングを模式的に示している。
【００７０】
図６（Ａ）に示した液晶表示パネル１１の応答タイミングは、図５（Ａ）と全く同じである。この第１の変形例では、左右のシャッタ２０Ｌ，２０Ｒの開閉タイミングが図５（Ｃ），（Ｄ）に示した状態とは左右逆の状態となっている。バックライト１２の点灯タイミングもシャッタの開閉タイミングに対応して、図５（Ｂ）に示した状態とは左右逆の状態となっている。
【００７１】
例えば左目用シャッタ２０Ｌについては、図５（Ｃ）の例では、観察者に左目用画像Ｌを視認させる期間ｔｗにシャッタを開状態にすると共に、その期間ｔｗの後において連続する所定期間にもシャッタを開状態にしている。図５（Ｃ）の例では、左目用シャッタ２０Ｌについての期間ｔｗはシャッタが閉状態から開状態に遷移した直後に設けられている。これに対して、図６（Ｃ）の例では、観察者に左目用画像Ｌを視認させる期間ｔｗにシャッタを開状態にすると共に、その期間ｔｗの前において連続する所定期間にもシャッタを開状態にしている。図６（Ｃ）の例では、左目用シャッタ２０Ｌについての期間ｔｗはシャッタが開状態から閉状態に遷移する直前に設けられている。
【００７２】
また、右目用シャッタ２０Ｒについては、図５（Ｄ）の例では、観察者に右目用画像Ｒを視認させる期間ｔｗにシャッタを開状態にすると共に、その期間ｔｗの前において連続する所定期間にもシャッタを開状態にしている。図５（Ｄ）の例では、右目用シャッタ２０Ｒについての期間ｔｗはシャッタが開状態から閉状態に遷移する直前に設けられている。これに対して、図６（Ｄ）の例では、観察者に右目用画像Ｒを視認させる期間ｔｗにシャッタを開状態にすると共に、その期間ｔｗの後において連続する所定期間にもシャッタを開状態にしている。図６（Ｄ）の例では、右目用シャッタ２０Ｒについての期間ｔｗはシャッタが閉状態から開状態に遷移した直後に設けられている。
【００７３】
この第１の変形例のような制御を行う場合にも、図５（Ａ）〜（Ｄ）に示した表示例と同様の効果を得ることができる。
【００７４】
［第２の実施の形態の第２の変形例］
図７（Ａ）〜（Ｄ）は、図５（Ａ）〜（Ｄ）に示した表示例に対する第２の変形例を示している。特に図７（Ａ）は図５（Ａ）と同様に、液晶表示パネル１１での画像表示の応答タイミングを模式的に示し、図７（Ｂ）は図５（Ｂ）と同様に、バックライト１２の点灯タイミングを模式的に示している。図７（Ｃ）は図５（Ｃ）と同様に、シャッタメガネ２０における左目用シャッタ２０Ｌの開閉タイミングを模式的に示し、図７（Ｄ）は図５（Ｄ）と同様に、右目用シャッタ２０Ｒの開閉タイミングを模式的に示している。
【００７５】
図７（Ａ）に示した液晶表示パネル１１の応答タイミングは、図５（Ａ）と全く同じである。この第２の変形例では、左目用シャッタ２０Ｌと右目用シャッタ２０Ｒとの開閉タイミングの位相差が図５（Ａ）〜（Ｄ）に示した表示例とは異なっている。図２（Ａ）〜（Ｄ）に示した表示例では、左目用シャッタ２０Ｌと右目用シャッタ２０Ｒとの開閉タイミングの位相差が、「ｔｒ＋ｔｗ」に設定されていたが、その位相差は「ｔｒ＋ｔｗ」以外であっても良い。本実施の形態に係る立体表示システムにおいて、その位相差は、「ｔｒ＋ｔｗ」以上、「Ｔ／２−ｔｆ」未満であれば、左右のシャッタ２０Ｌ，２０Ｒが共に閉じている期間を設けることができ、その期間にバックライト１２を点灯させることにより液晶表示パネル１１の温度を上昇させることができる。
【００７６】
図７（Ａ）〜（Ｄ）の表示例では、その位相差をＴ／４にした例を示している。この表示例では、図５（Ａ）〜（Ｄ）の表示例と比較して、左右のシャッタ２０Ｌ，２０Ｒが共に閉じている期間（例えば時刻ｔ２４’〜ｔ２５）にバックライト１２を点灯させることにより、図９（Ａ）〜（Ｃ）に示した第２の比較例の表示例よりも液晶表示パネル１１の温度を上昇させることができる。
【００７７】
＜その他の実施の形態＞
本発明は、上記各実施の形態に限定されず種々の変形実施が可能である。
例えば、上記各実施の形態では、左目用画像と右目用画像とを２回ずつ交互に表示する場合を例に説明したが、左目用画像または右目用画像を連続表示する回数は２回に限らず、３回以上であっても良い。例えば、液晶表示パネル１１において、同一の左目用画像を連続的に３回表示した後、同一の右目用画像を連続的に３回表示する、といった表示動作を行っても良い。
【符号の説明】
【００７８】
１１…液晶表示パネル、１２…バックライト、１３…ゲートドライバ、１４…データドライバ、１５…左右映像信号制御部、１６…タイミング制御部、１７…シャッタ制御部、１８…バックライト制御部、１９…赤外線エミッタ、２０…シャッタメガネ、２０Ｌ…左目用シャッタ、２０Ｒ…右目用シャッタ。
【図１】
2011252943.tif 000003
【図２】
2011252943.tif 000004
【図３】
2011252943.tif 000005
【図４】
2011252943.tif 000006
【図５】
2011252943.tif 000007
【図６】
2011252943.tif 000008
【図７】
2011252943.tif 000009
【図８】
2011252943.tif 000010
【図９】
2011252943.tif 000011